(57)【要約】【課題】屋根の軒等に取り付けられた雨樋の上部開口を覆う雨樋ネットを該雨樋に取り付けるのを容易かつ確実にする。【解決手段】所定幅の板状に形成され縦断面形状が上向きの突形に湾曲されて、雨樋２の上部開口を覆う雨樋ネット４を下支えする本体部材５と、この本体部材５の両端部に形成され、雨樋２の長手方向の両側縁部の耳部３に係合する取付凹部６と、この取付凹部６よりも内側寄りに設けられ上記雨樋ネット４の長手方向の両側辺部を挿入して挟み込む挟み込み部を有すると共に、この挟み込み部内にて上記本体部材５の長手方向に沿って少なくとも２個設けられ該雨樋ネット４の両側辺部の網目に入り込んで係止する突起部１１を有するネット保持部７と、を備えたものである。上記ネット保持部７により、雨樋２への雨樋ネット４の取り付けを容易かつ確実にすることができる。【選択図】図１
2008008071.tif 000002
【特許請求の範囲】
【請求項１】
所定幅の板状に形成され縦断面形状が上向きの突形に湾曲されて、雨樋の上部開口を覆う雨樋ネットを下支えする本体部材と、
この本体部材の両端部に形成され、雨樋の長手方向の両側縁部の耳部に係合する取付凹部と、
この取付凹部よりも内側寄りに設けられ上記雨樋ネットの長手方向の両側辺部を挿入して挟み込む挟み込み部を有すると共に、この挟み込み部内にて上記本体部材の長手方向に沿って少なくとも２個設けられ該雨樋ネットの両側辺部の網目に入り込んで係止する突起部を有するネット保持部と、
を備えて成ることを特徴とする雨樋ネットの取付用具。
【請求項２】
上記本体部材と取付凹部とネット保持部とは、可撓性を有する材料で形成されていることを特徴とする請求項１記載の雨樋ネットの取付用具。
【請求項３】
上記本体部材と取付凹部とネット保持部とは、合成樹脂で形成されていることを特徴とする請求項１又は２記載の雨樋ネットの取付用具。
【請求項４】
上記本体部材と取付凹部とネット保持部とは、一体的に形成されていることを特徴とする請求項１〜３のいずれか１項に記載の雨樋ネットの取付用具。
【請求項５】
上記ネット保持部の突起部は、雨樋ネットの側辺部を該ネット保持部内に挿入する方向に向けて傾斜していることを特徴とする請求項１〜４のいずれか１項に記載の雨樋ネットの取付用具。
【発明の詳細な説明】
【技術分野】
【０００１】
本発明は、屋根の軒等に取り付けられた雨樋の上部開口に木の葉やゴミ等が詰まらないようにその上部開口を覆う雨樋ネットを該雨樋に取り付ける取付用具に関し、詳しくは、雨樋への雨樋ネットの取り付けを容易かつ確実にすることができる雨樋ネットの取付用具に係るものである。
【背景技術】
【０００２】
従来のこの種の雨樋ネットの取付用具は、軒先に横架された軒樋の耳部と耳部とを連結するように軒樋の縁に弾性的に嵌合される固定金具を有し、この固定金具の平面部に折り曲げ可能な切り出し突起を設け、上記固定金具の平面部に木の葉等による雨樋の詰まりを防止するネット状金属体を敷設して、上記切り出し突起でネット状金属体を取り付けるようになっていた（例えば、特許文献１参照）。
【０００３】
また、他の雨樋ネットの取付用具は、軒樋の両側上縁部に橋渡しされ、この橋渡しの両端部分に一対の嵌合凹部を備えたアーチ状の金具と、この金具に、軒樋の上部開口に被せられたアーチ状のネット状シートを締め付けて装着する締結具（ネジ）とから成っていた（例えば、特許文献２参照）。
【特許文献１】登録実用新案第３０３０５０１号公報
【特許文献２】登録実用新案第３１０２３９２号公報
【発明の開示】
【発明が解決しようとする課題】
【０００４】
しかし、特許文献１に記載の固定金具においては、軒樋の縁に嵌合される固定金具が平面状に形成されており、この固定金具の平面部にネット状金属体が敷設されるようになっているので、平面状に敷設されたネット状金属体の上に落ちた木の葉等がそのままネット上に堆積してしまうことがあった。これでは、軒樋がその役目を果たせないこととなる。また、固定金具へネット状金属体を固定するには、固定金具から切り出し突起を折り曲げて立ち上げ、この立ち上げられた切り出し突起にネット状金属体の網目を通していた。この場合、複数個の固定金具について切り出し突起を折り曲げなければならず、上記切り出し突起の折り曲げ作業が煩雑であった。したがって、軒樋へのネット状金属体の取り付けが容易ではなかった。
【０００５】
また、特許文献２に記載のアーチ状の金具においては、軒樋の両側上縁部に、両端部分の嵌合凹部を嵌合してアーチ状の金具を橋渡しに取り付け、この金具の上面にネット状シートを載せ、このネット状シートの上面からワッシャ等を介してネジ等で締め付け、該ネット状シートをアーチ状の金具に装着していたので、アーチ状に装着されたネット上に落ちた木の葉等が自然に滑り落ちるようにすることができる。しかし、この場合は、締め付け用のネジやワッシャ等を必要とするので、部品点数が多くなるものであった。また、複数個のアーチ状の金具にネジ等の締め付けによりネット状シートを装着するので、ドライバを使用していちいちネジを締め付けなければならず、ネジの締め付け作業が煩雑であった。したがって、軒樋へのネット状シートの取り付けが容易ではなかった。
【０００６】
そこで、本発明は、このような問題点に対処し、雨樋への雨樋ネットの取り付けを容易かつ確実にすることができる雨樋ネットの取付用具を提供することを目的とする。
【課題を解決するための手段】
【０００７】
上記目的を達成するために、本発明による雨樋ネットの取付用具は、所定幅の板状に形成され縦断面形状が上向きの突形に湾曲されて、雨樋の上部開口を覆う雨樋ネットを下支えする本体部材と、この本体部材の両端部に形成され、雨樋の長手方向の両側縁部の耳部に係合する取付凹部と、この取付凹部よりも内側寄りに設けられ上記雨樋ネットの長手方向の両側辺部を挿入して挟み込む挟み込み部を有すると共に、この挟み込み部内にて上記本体部材の長手方向に沿って少なくとも２個設けられ該雨樋ネットの両側辺部の網目に入り込んで係止する突起部を有するネット保持部とを備えて成るものである。
【０００８】
このような構成により、所定幅の板状に形成され縦断面形状が上向きの突形に湾曲された本体部材で雨樋の上部開口を覆う雨樋ネットを下支えし、この本体部材の両端部に形成された取付凹部により雨樋の長手方向の両側縁部の耳部に係合し、この取付凹部よりも内側寄りに設けられた挟み込み部と、この挟み込み部内にて上記本体部材の長手方向に沿って少なくとも２個設けられた突起部とを有するネット保持部により、上記挟み込み部で雨樋ネットの長手方向の両側辺部を挿入して挟み込み、上記突起部が雨樋ネットの両側辺部の網目に入り込んで係止する。
【０００９】
そして、上記本体部材と取付凹部とネット保持部とは、可撓性を有する材料で形成されている。これにより、可撓性を有する材料で形成された本体部材と取付凹部とネット保持部とで、弾性を有する部材で雨樋ネットの取付用具を形成する。
【００１０】
また、上記本体部材と取付凹部とネット保持部とは、合成樹脂で形成されている。これにより、合成樹脂で形成された本体部材と取付凹部とネット保持部とで、雨樋ネットの取付用具の成形を容易とする。
【００１１】
さらに、上記本体部材と取付凹部とネット保持部とは、一体的に形成されている。これにより、雨樋ネットの取付用具を、可撓性を有する合成樹脂で一体的に形成する。
【００１２】
さらにまた、上記ネット保持部の突起部は、雨樋ネットの側辺部を該ネット保持部内に挿入する方向に向けて傾斜している。これにより、雨樋ネットの側辺部をネット保持部内に挿入する方向に向けて傾斜された突起部で、該ネット保持部内への雨樋ネットの側辺部の挿入が容易となると共に、雨樋ネットの網目が突起部に係止して抜けにくくなる。
【発明の効果】
【００１３】
請求項１に係る発明によれば、雨樋の長手方向の両側縁部の耳部に両端部の取付凹部によって係合した本体部材の挟み込み部内に、雨樋ネットの両側辺部を挿入するだけで、その雨樋ネットの網目に挟み込み部内の突起部が入り込んで係止するので、雨樋ネットを雨樋に容易に取り付けることができる。このとき、特別な準備作業や道具等を全く必要とせずに、雨樋ネットを容易に取り付けることができる。また、上記突起部が本体部材の長手方向に沿って少なくとも２個設けられているので、雨樋ネットの複数の網目に突起部が係止して、雨樋ネットを確実、強固に取り付けることができる。この場合、少なくとも２個の突起部のうち、どちらか１個の突起部が網目に係止し、或いは、１個の突起部が折損したとしても残りの１個の突起部が網目に係止して、雨樋ネットを確実に取り付けることができる。
【００１４】
そして、請求項２に係る発明によれば、可撓性を有する材料で形成された本体部材と取付凹部とネット保持部とで、弾性を有する部材で雨樋ネットの取付用具を形成することができる。したがって、雨樋ネットの取付用具自体の寸法誤差又は雨樋の寸法誤差に対して柔軟に対応させることができる。
【００１５】
また、請求項３に係る発明によれば、合成樹脂で形成された本体部材と取付凹部とネット保持部とで、雨樋ネットの取付用具の成形を容易とすることができる。
【００１６】
さらに、請求項４に係る発明によれば、雨樋ネットの取付用具を、可撓性を有する合成樹脂で一体的に形成することができる。したがって、他に付属の部品を全く必要とせず、単一製品として取り扱いを容易とすることができる。また、各種の寸法や色の雨樋ネットの取付用具を容易に成形することができる。
【００１７】
さらにまた、請求項５に係る発明によれば、雨樋ネットの側辺部をネット保持部内に挿入する方向に向けて傾斜された突起部で、該ネット保持部内への雨樋ネットの側辺部の挿入を容易とすると共に、雨樋ネットの網目が突起部に係止して抜けにくくすることができる。したがって、雨樋ネットの網目に突起部が確実に係止して、雨樋ネットを確実、強固に取り付けることができる。
【発明を実施するための最良の形態】
【００１８】
以下、本発明の実施形態を添付図面に基づいて詳細に説明する。
図１は本発明による雨樋ネットの取付用具の実施形態を示す断面説明図である。図１において、雨樋ネットの取付用具１が適用される雨樋２は、屋根の軒等に取り付けられたもので、横断面形状が下向きの略半円弧状に形成されており、その長手方向の両側上縁部には例えば小径の筒状に形成された耳部３が設けられ、全体が例えば金属又は合成樹脂で形成されている。このような下向きの略半円弧状に形成された丸形の雨樋２は、一般に丸樋と呼ばれている。
【００１９】
上記雨樋２の上部は開口されており、この上部開口から屋根を流れる雨水が雨樋２内に入るようになっている。そして、この雨樋２の上部開口には、木の葉やゴミ等の詰まりを防止するために該上部開口を覆う雨樋ネット４が装着される。この雨樋ネット４は、例えば金属製網又は合成樹脂製網であり、木の葉やゴミ等が雨樋２内に落ちない程度の大きさの網目に形成されている。
【００２０】
ここで、本発明においては、上記雨樋２に雨樋ネット４を取り付けるのに、雨樋ネットの取付用具１を用いる。この雨樋ネットの取付用具１は、屋根の軒等に取り付けられた雨樋２の上部開口に木の葉やゴミ等が詰まらないようにその上部開口を覆う雨樋ネット４を該雨樋２に取り付けるもので、図２に示すように、本体部材５と、取付凹部６と、ネット保持部７とを備えて成る。
【００２１】
上記本体部材５は、図１に示す雨樋２の上部開口を覆う雨樋ネット４を下支えするもので、所定幅の板状に形成され縦断面形状が上向きの突形に湾曲されている（図５参照）。すなわち、上向きに湾曲する円弧状（アーチ状）に形成され、その上面に上記雨樋ネット４を載せて下から支持するようになっており、可撓性を有する合成樹脂で形成されている。
【００２２】
上記本体部材５の両端部には、取付凹部６が形成されている。この取付凹部６は、雨樋ネットの取付用具１を雨樋２に取り付けるためのもので、図１に示す雨樋２の長手方向の両側上縁部の耳部３に係合するようになっている。具体的な形状は、図２に示すように、本体部材５の両端部において、上記雨樋２の耳部３に被さるように外側方に略半円形に出っ張った形とされており、可撓性を有する合成樹脂で形成されている。そして、この取付凹部６の下部には、すき間８が形成されると共に、このすき間８の入口外側には斜め下向きのガイド片９が設けられている。このすき間８及びガイド片９を上記雨樋２の耳部３に上方から押し付けることにより、上記ガイド片９が外側に弾性変形して、雨樋２の耳部３に取付凹部６が係合する。
【００２３】
上記本体部材５の両端部にて取付凹部６よりも内側寄りには、ネット保持部７が設けられている。このネット保持部７は、上記雨樋ネット４を本体部材５の上面側に保持するもので、挟み込み部１０と突起部１１とを備えて成り、可撓性を有する合成樹脂で形成されている。上記挟み込み部１０は、上記雨樋ネット４の長手方向の両側辺部を挿入して挟み込むもので、図２に示すように、本体部材５の両端部において板状部材を上向きに折り返して略平行に延ばし、その間に上記雨樋ネット４の両側辺部が入り得るすき間が形成されている。
【００２４】
また、上記突起部１１は、挟み込み部１０に挿入して挟み込まれた雨樋ネット４の両側辺部の網目に入り込んで係止するもので、上記挟み込み部１０内にて本体部材５の長手方向に沿って少なくとも２個設けられている。具体的には、図２に示すように、挟み込み部１０を形成する外側の折返し部材の内側面から内向きに嘴状に突出している。そして、図３に示すように、上記突起部１１は、本体部材５の長手方向の中心線上に所定の間隔（例えば、雨樋ネット４の網目の整数倍の間隔）をおいて少なくとも２個設けられている。この場合、少なくとも２個の突起部１１のうち、どちらか１個の突起部１１が網目に係止し、或いは、１個の突起部１１が折損したとしても残りの１個の突起部１１が網目に係止して、雨樋ネット４を確実に取り付けることができる。
【００２５】
上記突起部１１の突出方向は、図４に示すように、図１において雨樋ネット４をネット保持部７内に挿入する方向に向けて傾斜している。このとき、上記突起部１１の前縁は、ネット保持部７への取付基部に対して角度α（例えば３４度程度）で傾斜しており、突起部１１の後縁は、上記前縁に対して角度β（例えば３０度程度）で傾斜している。これにより、雨樋ネット４をネット保持部７内に挿入する際は、その挿入が容易となり、雨樋ネット４を引き抜く方向には、網目が突起部１１に係止して抜けにくくなる。したがって、雨樋ネット４の複数の網目に突起部１１が確実に係止して、雨樋ネット４を確実、強固に取り付けることができる。
【００２６】
なお、図１及び図２では、突起部１１を２個設けたものとしたが、本発明はこれに限られず、３個以上設けてもよい。また、上記突起部１１を挟み込み部１０の外側の折返し部材の内側面から内向きに突出したものとしたが、上記挟み込み部１０の一部となる本体部材５の外側面から外向きに突出させてもよい。
【００２７】
そして、この状態で、上記本体部材５と取付凹部６とネット保持部７とは、図２に示すように、可撓性を有する合成樹脂で一体的に形成されている。すなわち、左側の取付凹部６から左側のネット保持部７を通って本体部材５に至り、この本体部材５から右側のネット保持部７を通って右側の取付凹部６に至るように、あたかも一筆書きのように連続して本体部材５と取付凹部６とネット保持部７とが一体的に形成されている。これにより、他に付属の部品を全く必要とせず、単一製品として取り扱いを容易とすることができる。また、部材全体の色は、雨樋２と同系統色としてもよいし、透明としてもよい。
【００２８】
次に、このように構成された雨樋ネットの取付用具１の使用について、図５を参照して説明する。まず、屋根の軒等に取り付けられた雨樋２の上部開口に、雨樋ネットの取付用具１を取り付ける。このとき、雨樋ネットの取付用具１を手で持ち、雨樋２の例えば後耳部３ｂに対して、一端部側の取付凹部６のすき間８及びガイド片９（図２参照）を上方から押し付けることにより、上記ガイド片９が外側に弾性変形して、雨樋２の後耳部３ｂに一端部側の取付凹部６が係合する。
【００２９】
次に、同様にして、雨樋２の前耳部３ｆに対して、他端部側の取付凹部６のすき間８及びガイド片９（図２参照）を上方から押し付けることにより、上記ガイド片９が外側に弾性変形して、雨樋２の前耳部３ｆに他端部側の取付凹部６が係合する。これにより、上記雨樋２に対して雨樋ネットの取付用具１が固定される。このようにして、雨樋２の長手方向に適宜の間隔で複数個の雨樋ネットの取付用具１を固定すればよい。
【００３０】
次に、雨樋ネット４を手で持ち、上記固定された雨樋ネットの取付用具１の例えば後耳部３ｂ側に位置するネット保持部７の挟み込み部１０（図２参照）内に、該雨樋ネット４の長手方向の当該辺部を挿入する。このとき、挟み込み部１０内に設けられた２個の突起部１１は雨樋ネット４の挿入方向に傾斜しているので、該雨樋ネット４の当該辺部が容易に挿入でき、突起部１１が雨樋ネット４の網目に入り込んで係止する。これにより、雨樋２の後耳部３ｂ側に位置するネット保持部７の突起部１１に雨樋ネット４の当該辺部が係止して保持される。
【００３１】
次に、上記雨樋ネット４の反対側の辺部を手で持ち、上記雨樋ネットの取付用具１の前耳部３ｆ側に位置するネット保持部７の挟み込み部１０（図２参照）内に、該雨樋ネット４の長手方向の当該辺部を挿入する。このときも上述と同様に、挟み込み部１０内に設けられた２個の突起部１１は雨樋ネット４の挿入方向に傾斜しているので、該雨樋ネット４の当該辺部が容易に挿入でき、突起部１１が雨樋ネット４の網目に入り込んで係止する。これにより、雨樋２の前耳部３ｆ側に位置するネット保持部７の突起部１１に雨樋ネット４の当該辺部が係止して保持される。
【００３２】
この結果、図５に示すように、雨樋２に取り付けられた雨樋ネットの取付用具１を用いて、雨樋２の上部開口に木の葉やゴミ等が詰まらないようにその上部開口を覆う雨樋ネット４を該雨樋２に取り付けることができる。また、上記雨樋ネットの取付用具１は、可撓性を有する材料で形成されているので、例えば図２に示す取付凹部６の下部のガイド片９を拡げるように変形させると、雨樋２の耳部３から外すことができ、雨樋ネットの取付用具１を雨樋２に対して着脱可能とすることができる。したがって、雨樋２の保守、整備を容易とすることができる。
【００３３】
図６は、本発明による雨樋ネットの取付用具を角形の雨樋２′に適用した状態を示す断面説明図である。この雨樋２′は、横断面形状が下向きの略四角形状に形成されており、その長手方向の両側上縁部には耳部３が設けられ、全体が例えば金属又は合成樹脂で形成されている。このような下向きの略四角形状に形成された雨樋２′は、一般に角樋と呼ばれている。
【００３４】
そして、図６に示す角形の雨樋２′に適用される雨樋ネットの取付用具１′は、基本的には図１及び図２に示すものと同様であるが、雨樋２′の前後の耳部３に係合する取付凹部６の形状が異なる。この雨樋ネットの取付用具１′は、上記雨樋２′の後耳部３ｂ側に先に係合させるタイプであり、上記後耳部３ｂに係合させる側の取付凹部６が本体部材５の後側端部から下方に延長した下端部に設けられている。そして、この後側端部の下方延長端部に設けられた取付凹部６を上記雨樋２′の後耳部３ｂに先に係合させた後に、前側端部に形成された取付凹部６を該雨樋２′の前耳部３ｆに係合させるようになっている。このような雨樋ネットの取付用具１′を雨樋２′に取り付けた後に、前述の図１及び図２に示す場合と同様にして、その雨樋ネットの取付用具１′に雨樋ネット４を取り付ける。
【００３５】
図７は、本発明による雨樋ネットの取付用具を他の角形の雨樋２″に適用した状態を示す断面説明図である。この雨樋２″は、横断面形状が下向きの略四角形状に形成されており、その長手方向の両側上縁部には耳部３が設けられ、全体が例えば金属又は合成樹脂で形成されており、角樋と呼ばれるものである。なお、図７において、符号１２は雨樋２″の底部に形成された補強用リブを示し、符号１３は雨樋２″の前部側中段に形成された補強用リブを示している。
【００３６】
そして、図７に示す角形の雨樋２″に適用される雨樋ネットの取付用具１″は、基本的には図１及び図２に示すものと同様であるが、雨樋２″の前後の耳部３に係合する取付凹部６の形状が異なる。この雨樋ネットの取付用具１″は、上記雨樋２″の前耳部３ｆ側に先に係合させるタイプであり、上記前耳部３ｆに係合させる側の取付凹部６が本体部材５の前側端部に設けられている。そして、この前側端部に設けられた取付凹部６を上記雨樋２″の前耳部３ｆに先に係合させた後に、後側端部から下方に延長した下端部に形成された取付凹部６を該雨樋２″の後耳部３ｂに係合させるようになっている。このような雨樋ネットの取付用具１″を雨樋２″に取り付けた後に、前述の図１及び図２に示す場合と同様にして、その雨樋ネットの取付用具１″に雨樋ネット４を取り付ける。
【００３７】
なお、本発明の雨樋ネットの取付用具が適用される雨樋は、図１、図６及び図７に示す形状のものに限られず、上部が開口し、長手方向の両側上縁部に耳部を有するものであるならば、どのような形状であってもよい。
【図面の簡単な説明】
【００３８】
【図１】本発明による雨樋ネットの取付用具の実施形態を示す断面説明図である。
【図２】上記雨樋ネットの取付用具の形状を示す正面図である。
【図３】上記雨樋ネットの取付用具の形状を示す側面図である。
【図４】上記雨樋ネットの取付用具のネット保持部に設けられた突起部の突出方向を示す部分拡大説明図である。
【図５】丸形の雨樋の上部開口に雨樋ネットの取付用具を取り付けた状態を示す斜視図である。
【図６】本発明による雨樋ネットの取付用具を角形の雨樋に適用した状態を示す断面説明図である。
【図７】本発明による雨樋ネットの取付用具を他の角形の雨樋に適用した状態を示す断面説明図である。
【符号の説明】
【００３９】
１，１′，１″…雨樋ネットの取付用具
２，２′，２″…雨樋
３…耳部
３ｂ…後耳部
３ｆ…前耳部
４…雨樋ネット
５…本体部材
６…取付凹部
７…ネット保持部
１０…挟み込み部
１１…突起部
【図１】
2008008071.tif 000003
【図２】
2008008071.tif 000004
【図３】
2008008071.tif 000005
【図４】
2008008071.tif 000006
【図５】
2008008071.tif 000007
【図６】
2008008071.tif 000008
【図７】
2008008071.tif 000009